(57)【要約】【課題】  カレンダーにシールシートが設けられたシールシート付きカレンダーであって、シールシートだけが紛失してしまうことを防止し、カレンダーにシールを貼付する際でも、簡単にシールシートからシールを剥離し、カレンダーに正確に簡単に手で貼付することができる利便性の高いシールシート付きカレンダーを提供する。【解決手段】  ベースシートと、前記ベースシート上に、下端縁部が貼り合せられたシールシートと、シールシートの上方に設けられ、ベースシートに、上端縁部が貼り合せられたカレンダー片が重合されたカレンダー部とを備え、シールシートを、前記下端縁部を残して折り返したときに、シールシートの剥離用のシールが表出できるようにしてなることを特徴とする。シールシートには、下端縁部に沿って折り返し用のミシン目が形成され、シールは、カレンダー片に貼るスケジュール管理用のシールであることを特徴とする。【選択図】        図３
2005119056.tif 000002
【特許請求の範囲】
【請求項１】
ベースシートと、
前記ベースシート上に下端縁部が貼り合せられたシールシートと、
前記シールシートの上方に設けられ、前記シールシートに上端縁部が貼り合せられたカレンダー片が重合されたカレンダー部とを備え、
前記シールシートを、前記下端縁部を残して折り返したときに、前記シールシートの剥離用のシールが表出できるようにしてなることを特徴とするシールシート付きカレンダー。
【請求項２】
前記シールシートには、前記下端縁部に沿って折り返し用のミシン目が形成されていることを特徴とする請求項１記載のシールシート付きカレンダー。
【請求項３】
前記シールは、カレンダー片に貼るスケジュール管理用のシールであることを特徴とする請求項１記載のシールシート付きカレンダー。
【発明の詳細な説明】
【技術分野】
【０００１】
本発明は、カレンダー片と、カレンダー片の表面に貼付して使用するためのシールを有するシールシートとを備えたシールシート付きカレンダーに関する。
【背景技術】
【０００２】
従来、１ヶ月単位の暦情報を一覧として掲載すると共に、当該暦情報の各日にち表示に密着した形で空白欄を設けた仕様のカレンダーが一般的に使用されている。
通常、カレンダーの使用者は、種々の予定情報をこの空白欄に記入することで、今後のスケジュール管理を行ったりしている。
また、カレンダーの使用者がこれらの空白欄に記入する手間を省くために、予めカレンダーに、一般的に使用する可能性の高い予定内容を示す文字や絵柄などを印刷したシールを、シールシートに剥離可能に設け、このシールシートを、予めカレンダーに添付しておくことで、使用者の利便性を高め、カレンダーの表面に簡単に予定事項を表示できるようにしたカレンダーも既に知られている。（例えば、特許文献１、参照）
【特許文献１】実用新案登録第３０６８０００号公報
【０００３】
しかしながら、特許文献１に掲載されたカレンダーでは、複数の紙シートから成るノート形式のカレンダーと、シールシートとが一体に構成されていないために、カレンダーにシールを貼付する際に、シールシートをカレンダーが置かれている場所まで持ってきてから、シールシートのシールを剥離させ、カレンダーの日にち表示の空白欄に貼付しなければならないという不便があり、また、カレンダーと、シールシートとが一体に構成されていないので、シールシートを紛失させてしまうことがあるという問題もある。
【０００４】
更に、特許文献１のカレンダーでは、シールシートからシールを剥離する際には、シールシートを両手で持ち、片手にシールを剥離した後に、片手でカレンダーにシールを貼付するか、より正確な位置にシールを貼付するために、シールを剥離した後にシールシートをどこかに置いてから両手でカレンダーにシールを貼付するなどしなければならないために、シールをカレンダーに貼付する際の作業性が悪く面倒であり不便があるという問題がある。
【発明の開示】
【発明が解決しようとする課題】
【０００５】
本発明は、カレンダーにシールシートが設けられたシールシート付きカレンダーであって、シールシートだけが紛失してしまうことを防止し、カレンダーにシールを貼付する際でも、簡単にシールシートからシールを剥離し、カレンダーにおける所望の日にち表示の空白欄に対して正確に簡単に手で貼付することができる利便性の高いシールシート付きカレンダーを提供する。
【課題を解決するための手段】
【０００６】
本発明のシールシート付きカレンダーは、ベースシートと、前記ベースシート上に下端縁部が貼り合せられたシールシートと、前記シールシートの上方に設けられ、前記ベースシートに上端縁部が貼り合せられたカレンダー片が重合されたカレンダー部とを備え、前記シールシートを、前記下端縁部を残して折り返したときに、前記シールシートの剥離用のシールが表出できるようにしてなることを特徴とする。
【０００７】
また、本発明のシールシート付きカレンダーは、前記シールシートには、前記下端縁部に沿って折り返し用のミシン目が形成されていることを特徴とする。
【０００８】
更に、本発明のシールシート付きカレンダーは、前記シールは、カレンダー片に貼るスケジュール管理用のシールであることを特徴とする。
【発明の効果】
【０００９】
本発明のシールシート付きカレンダーは、カレンダー部とラベルシートとが一体的に構成され、更にカレンダーを使用する際に、ラベルシートを、下端縁部を残して折り返すことで、カレンダー部の暦情報の各日にち表示に密着した空白欄と、ラベルシートの剥離用のラベルとが並んだ状態で表出されるので、シールシートだけが紛失してしまうことを防止することができると共に、カレンダーにシールを貼付する際でも、簡単にシールシートからシールを剥離し、カレンダーにおける所望の日にち表示の空白欄に対して、正確に簡単に貼付することができるという効果がある。
【００１０】
また、本発明のシールシート付きカレンダーは、折り返し用のミシン目から簡単に折り返すことができるので便利であるという効果がある。
【００１１】
更に、本発明のシールシート付きカレンダーのシールをスケジュール管理用のシールとすることで、カレンダーにおける所望の日にち表示の空白欄に対して種々のスケジュールを手書きしないでも、シールを貼付するだけですむので効率的に必要事項を表示することができるという効果がある。
【発明を実施するための最良の形態】
【００１２】
以下、図面を参照しながら本発明の実施形態を詳述する。
図１は、本発明の実施形態に係るシールシート付きカレンダーの平面図、図２は、図１のＡ−Ａ線断面図、図３は、本発明の実施形態に係るシールシート付きカレンダーからシールシートを折り返した状態を示す平面図、図４は、図３のＢ−Ｂ線断面図、図５は、本発明の実施形態に係るシールシート付きカレンダーからシールシートを折り返し、シールを剥離してカレンダーにシールを貼付する状態を示す断面図である。
【００１３】
本発明に係るシールシート付きカレンダー１は、ベースシートとなる台紙２と、台紙２の上方に重ね設けられたシールシート３と、更にシールシート３の上方に重ねられた複数枚のカレンダー片４ａ〜４ｆを有するカレンダー部４とから構成されている。
この実施形態において、各々のカレンダー片４ａ〜４ｆには、２ヶ月分の日付けが表示されているので、カレンダー部４には１年分として６枚のカレンダー片４ａ〜４ｆが重ねられている。
【００１４】
図１の状態において、シールシート３の縦方向の寸法は、シールシート３の上端部がカレンダー片の縦方向の寸法よりも小さな寸法を有していて、シールシート３の下端縁部で台紙２と接着剤５により接着されている。
また、シールシート３には、下端縁部に沿って折り返し用のミシン目６が形成され、この折り返し用のミシン目６から下端縁部を残してシールシート３を折り返すことで、シールシート３の剥離用のシールが表出できるようにしてある。
【００１５】
シールシート３は、シール台紙３ａ上に、裏面側に粘着剤層３ｂを有するシール３ｃが重ね合わされており、シール３ｃには、所望の形状のスリット３ｄが形成されていると共に、シール３ｃ上に所望の文字、デザイン、絵柄などが印刷されている。
したがって、必要に応じてスリット３ｄの形成部分からシール３ｃを剥離して、そのシール３ｃをカレンダー片に貼付することができるようにしてある。
図２に示すように、シールシート３は、台紙２の上面側にシール３ｃが面する状態で  台紙２に対して重ねられており、シールシート３を折り返し用のミシン目６から下端縁部を残して折り返すことで、上側にシール３ｃが表出するように設けられている。
【００１６】
シールシート３のシール３ｃは、カレンダー片に貼るスケジュール管理用のシールであることが好ましく、スケジュール管理用のシールの種類としては、例えば、給料日、誕生日、結婚記念日、会食予定日、振込処理予定日、旅行予定日、忘年会予定日、新年会予定日、プレゼント日、などの種々の予定日がある。
【００１７】
また、カレンダー部４は、１年分として６枚のカレンダー片４ａ〜４ｆが、上端部で接着剤７により接着されており、更に、最下位にあるカレンダー片４ｆの上端部の裏面側において接着剤８により台紙２と接着されている。
各々のカレンダー片４ａ〜４ｆには、接着剤７が塗布されている上端部に沿って切り取りミシン目９が形成され、切り取りミシン目９からカレンダー片４ａ〜４ｆを切り取れるようにしてある。
切り取りミシン目１０は、各カレンダー片４ａ〜４ｆの中央部の縦方向にも形成され、各月が経過した際に月毎にカレンダー片の半分を、切り取りミシン目９，１０から切り取れるようにしてある。
【００１８】
以上のように、本発明の実施形態に係るシールシート付きカレンダー１は、使用される前の段階では、図１及び図２に示す状態に構成されているので、シールシート３の表面側は、カレンダー部４が重なっているので、外部から見ることはできないようにしてある。
これは、シールシート付きカレンダー１を利用者に配布する前には、できるだけコンパクトであることが嵩張らないことにもなり、シールシート付きカレンダー１を保管したり、運搬する際に便利である。
【００１９】
次に、本発明の実施形態に係るシールシート付きカレンダー１を使用する場合を、図３乃至図５に基づいて説明する。
まず、シールシート付きカレンダー１の使用者は、シールシート３に形成されている折り返し用のミシン目６から、シールシート３の下端縁部を残して折り返してシールシートの剥離用のシール３ｃを表出させる。
【００２０】
図３及び図４には、シールシート３の下端縁部を残して折り返してシールシートの剥離用のシール３ｃを表出させた状態が示されているが、カレンダー片４ａの１月分と２月分の各日にち表示と、シールシート３のシール３ｃ面とが上下に並んだ状態として、使用できるようにしてある。
これにより、使用者は、図５に示すように、カレンダー片４ａを見ながら、シールシート３から所望のシール３ｃを剥離し、そのままカレンダー片４ａにシール３ｃを貼付させることができる。
【産業上の利用可能性】
【００２１】
本発明に係るシールシート付きカレンダーは、市販用のカレンダーや販売促進用のカレンダーなどとして種々の業界で広く利用される可能性がある。
【図面の簡単な説明】
【００２２】
【図１】本発明の実施形態に係るシールシート付きカレンダーの平面図である。
【図２】図１のＡ−Ａ線断面図である。
【図３】本発明の実施形態に係るシールシート付きカレンダーからシールシートを折り返した状態を示す平面図である。
【図４】図３のＢ−Ｂ線断面図である。
【図５】本発明の実施形態に係るシールシート付きカレンダーからシールシートを折り返し、シールを剥離してカレンダーにシールを貼付する状態を示す断面図である。
【符号の説明】
【００２３】
１  シールシート付きカレンダー
２  台紙
３  シールシート
３ａ  シール台紙
３ｂ  粘着剤層
３ｃ  シール
３ｄ  スリット
４  カレンダー部
４ａ〜４ｆ  カレンダー片
５  接着剤
６  折り返し用のミシン目
７  接着剤
９，１０  切り取りミシン目
【図１】
2005119056.tif 000003
【図２】
2005119056.tif 000004
【図３】
2005119056.tif 000005
【図４】
2005119056.tif 000006
【図５】
2005119056.tif 000007